(57)【要約】  本発明は、文字入力装置に関し、入力領域を有するベースと、前記入力領域に備えられて、前記入力領域への接触または接触の移動を感知する一つ以上の感知部と、前記入力領域に備えられた基準入力部を中心に前記感知部で感知された接触点の位置または前記接触点の移動方向により前記各入力動作に対応する文字データをメモリ部から抽出して入力する制御部と、を含む。これによって基準入力部が配置された最小限の入力領域を有して、入力しようとする文字を全て配置することができて、小型化に適していると同時に、配置された各文字を単一（１回）の入力動作によって入力することができるので、迅速かつ正確な入力をすることができる。
2010525480.tif 000002
【特許請求の範囲】
【請求項１】
入力領域を有するベース；
前記入力領域に備えられて、前記入力領域への接触または接触の移動を感知する一つ以上の感知部；および
前記入力領域に備えられた基準入力部を中心に前記感知部で感知された接触点の位置または前記接触点の移動方向により前記各入力動作に対応する文字データをメモリ部から抽出して入力する制御部；を含むことを特徴とする、文字入力装置。
【請求項２】
前記感知部は、前記基準入力部を中心に放射状に配置される複数の方向指示部に対応して前記入力領域に分割区画され、前記制御部が接触が感知された前記感知部に対応する各方向指示部に割り当てられたデータを抽出して入力することを特徴とする、請求項１に記載の文字入力装置。
【請求項３】
前記感知部は、前記基準入力部を除いた前記入力領域全体にかけて分布され、前記入力領域には前記基準入力部を中心に放射状に均一な離隔距離を有して配置される複数の方向指示部が備えられることを特徴とする、請求項１に記載の文字入力装置。  
【請求項４】
前記入力動作は、前記接触点が前記基準入力部から前記各方向指示部に向かって外向移動されることによって行われることを特徴とする、請求項３に記載の文字入力装置。
【請求項５】
前記入力動作は、前記接触点が前記各方向指示部から前記基準入力部に向かって内向移動されることによって行われることを特徴とする、 請求項３に記載の文字入力装置。
【請求項６】
前記入力動作は、前記接触点がいずれか一つの方向指示部から前記基準入力部を通過して他の一つの方向指示部に移動されることによって行われることを特徴とする、請求項３に記載の文字入力装置。
【請求項７】
前記入力動作は、前記接触点が前記各方向指示部から前記基準入力部を中心に所定の半径を有する円の接線方向に移動されることによって行われることを特徴とする、請求項３に記載の文字入力装置。
【請求項８】
前記制御部は、前記各方向指示部からの接触点の移動方向により互いに異なる信号をそれぞれ区分して入力することを特徴とする、請求項７に記載の文字入力装置。
【請求項９】
前記入力動作は、前記接触点が前記基準入力部を中心に円周方向に移動されることによって行われることを特徴とする、請求項３に記載の文字入力装置。
【請求項１０】
前記制御部は、前記円周方向の入力動作が開始および終了される各方向指示部、入力動作の方向、および入力動作の距離によりそれぞれ互いに異なる文字を抽出して入力することを特徴とする、請求項９に記載の文字入力装置。
【請求項１１】
前記入力動作は、前記接触点が前記各方向指示部から前記基準入力部を中心に前後方向に移動されることによって行われることを特徴とする、請求項３に記載の文字入力装置。
【請求項１２】
前記入力動作は、前記接触点が前記各方向指示部から前記基準入力部を中心に左右方向に移動されることによって行われることを特徴とする、請求項３に記載の文字入力装置。
【請求項１３】
前記入力動作は、前記接触点が前記各方向指示部から前記基準入力部を中心に前後左右方向に移動されることによって行われることを特徴とする、請求項３に記載の文字入力装置。
【請求項１４】
前記基準入力部には前記基準入力部への接触を感知する基準入力感知部が備えられることを特徴とする、請求項１に記載の文字入力装置。
【請求項１５】
前記各入力動作のうちの２つ以上を組み合わせてハングル文字または英語文字が入力されることを特徴とする、請求項１乃至請求項１４のうちのいずれか一つの請求項に記載の文字入力装置。
【請求項１６】
前記各入力動作のうちの１つ以上をさらに組み合わせて数字、記号、モード転換、または機能を入力することを特徴とする、請求項１５に記載の文字入力装置。
【請求項１７】
前記方向指示部は、４乃至１２方向のうちのいずれか一つに備えられることを特徴とする、請求項２または請求項３に記載の文字入力装置。
【請求項１８】
前記入力動作が前記接触点の移動によって行われる場合、前記接触点の移動距離の差により２段以上の多段入力が行われるように備えられることを特徴とする、請求項１乃至請求項１４のうちのいずれか一つの請求項に記載の文字入力装置。
【請求項１９】
前記感知部は、前記各方向指示部へのプッシュを感知するプッシュ感知センサーで備えられて、プッシュの強さにより２段以上の多段入力が行われるように備えられることを特徴とする、 請求項２に記載の文字入力装置。
【請求項２０】
前記感知部は、前記入力領域に備えられるタッチパッドであることを特徴とする、 請求項２または請求項３に記載の文字入力装置。
【請求項２１】
前記感知部は、タッチスクリーンで備えられることを特徴とする、 請求項２または請求項３に記載の文字入力装置。
【請求項２２】
前記基準入力部または前記各方向指示部のうちの一つ以上には前記各入力動作方向を表示する方向表示部が備えられることを特徴とする、請求項２１に記載の文字入力装置。
【請求項２３】
前記方向表示部には前記各方向表示部に応じた入力動作によって入力される文字が表示されることを特徴とする、 請求項２２に記載の文字入力装置。
【請求項２４】
前記方向表示部は、入力される文字モードにより大きさおよび色が可変されることを特徴とする、請求項２２に記載の文字入力装置。
【請求項２５】
前記基準入力部は、前記入力領域内で移動が可能に備えられることを特徴とする、請求項２１に記載の文字入力装置。
【請求項２６】
前記入力領域の一側には待機領域が備えられ、前記入力領域に位置した前記基準入力部または方向表示部のうちのいずれか一つをタッチして前記待機領域に移動（いわゆる、ドラッグ）させると、前記方向表示部は前記タッチスクリーン上から隠され、前記基準入力部をタッチして前記入力領域に復帰させると、前記方向表示部が再び表示されることを特徴とする、請求項２２に記載の文字入力装置。
【請求項２７】
前記基準入力部は、２個以上に備えられて、前記入力領域の周りに互いに所定の離隔距離を有して上下に配置されることを特徴とする、請求項２１に記載の文字入力装置。
【請求項２８】
前記基準入力部は、２個以上に備えられて、前記入力領域に左右にそれぞれ配置されることを特徴とする、請求項２１に記載の文字入力装置。
【請求項２９】
前記基準入力部および感知部は、前記タッチスクリーンに隣接した前記ベースに上下または左右にそれぞれ２個ずつ備えられることを特徴とする、請求項２１に記載の文字入力装置。
【請求項３０】
前記制御部によって抽出された文字が表示される表示部をさらに含み、
前記表示部には前記各入力動作に割り当てられた文字などが表示される文字表示部が備えられることを特徴とする、請求項１に記載の文字入力装置。
【請求項３１】
前記ベースに備えられて、前記制御部によって抽出された文字が表示される表示部をさらに含み、前記表示部の一側には前記各入力動作に割り当てられた文字などが表示される文字表示部が備えられることを特徴とする、請求項２１に記載の文字入力装置。
【請求項３２】
前記文字入力装置は、マウス入力モードに転換される場合には、前記接触点の移動によってポインターの移動が行われ、接触によってマウスの左右ボタン機能が行われることを特徴とする、請求項１に記載の文字入力装置。
【請求項３３】
前記文字入力装置は、ジョイスティック入力モードに転換される場合には、前記接触点の移動によってキャラクターの移動が行われ、接触によってキャラクターの各種操作機能が行われることを特徴とする、請求項１に記載の文字入力装置。
【請求項３４】
前記接触点の移動時に、前記基準入力部から遠くなるほど、前記マウスポインターの移動速度またはキャラクターの移動速度が次第に増加するようにすることを特徴とする、請求項３２または請求項３３に記載の文字入力装置。
【請求項３５】
前記基準入力部は、前記入力領域に２セットに備えられ、
いずれか一つの基準入力部セットによってマウスポインターまたはキャラクターの移動が行われ、他の一つの基準入力部セットによってマウスの左右ボタンまたはキャラクターの各種操作機能が行われることを特徴とする、請求項３２または請求項３３に記載の文字入力装置。
【請求項３６】
前記方向指示部は、８個に備えられて、接触によって８個の文字が入力され、前記各方向指示部から前記基準入力部を中心に半径方向に接触点が内向移動（８個）および外向移動（８個）される入力動作によって総計２４個の文字が入力されることを特徴とする、請求項２または請求項３に記載の文字入力装置。
【請求項３７】
前記方向指示部は、４個備えられて、接触によって４個の文字が入力され、前記各方向指示部から前記基準入力部を中心に半径方向に接触点が内向移動（４個）および外向移動（４個）されて１２個の文字が入力されるが、
前記基準入力部および方向指示部が前記入力領域の左右に２対備えられて、総計２４個の文字が入力されることを特徴とする、 請求項２または請求項３に記載の文字入力装置。
【請求項３８】
前記基準入力部または前記方向表示部は、透明度の調節が可能に備えられることを特徴とする、請求項２６に記載の文字入力装置。
【請求項３９】
入力領域が備えられたタッチスクリーン；
前記入力領域に備えられたた基準入力部；
前記基準入力部を中心に放射状に互いに均一な離隔距離を有して配置される４個の方向指示部；
前記基準入力部および各方向指示部の一側に備えられて、前記基準入力部および方向指示部で行われる接触点の移動方向が表示される方向表示部；
前記タッチスクリーンで感知された前記各方向指示部への接触、前記基準入力部を通過する接触点の移動方向、または前記各方向指示部からの接触点の前後左右移動方向により前記各入力動作に対応する文字データをメモリ部から抽出して入力する制御部；からなることを特徴とする、文字入力装置。
【請求項４０】
前記各方向指示部の間に備えられる４個の補助方向指示部をさらに含むことを特徴とする、請求項３９に記載の文字入力装置。
【請求項４１】
前記基準入力部を通過する接触点の移動によって母音文字が入力され、前記各方向指示部からの接触点の前後左右移動によって子音文字が入力され、前記各方向指示部への接触によって各種機能命令が入力されることを特徴とする、請求項３９に記載の文字入力装置。
【請求項４２】
前記基準入力部、方向指示部、および方向表示部は、前記タッチスクリーンに左右にそれぞれ２個ずつ２セットに備えられることを特徴とする、請求項３９乃至請求項４１のうちのいずれか一つの請求項に記載の文字入力装置。
【請求項４３】
前記基準入力部を通過する接触点の移動方向は、４方向または８方向のうちのいずれか一つに備えられることを特徴とする、請求項３９に記載の文字入力装置。
【請求項４４】
入力領域が備えられたタッチスクリーン；
前記入力領域に備えられた基準入力部；
前記基準入力部を中心に放射状に互いに均一な離隔距離を有して配置される４個の方向指示部；
前記基準入力部および各方向指示部の一側に備えられて、前記基準入力部および方向指示部で行われる接触点の移動方向が表示される方向表示部；
前記タッチスクリーンの下部に備えられて、前記各方向指示部へのプッシュを感知するプッシュ感知部；および
前記タッチスクリーンで感知された前記各方向指示部への接触、前記プッシュ感知部で感知された前記各方向指示部へのプッシュ、前記基準入力部を通過する接触点の移動方向、および前記各方向指示部からの接触点の前後左右移動方向により前記各入力動作に対応する文字データをメモリ部から抽出して入力する制御部；を含むことを特徴とする、文字入力装置。
【請求項４５】
前記各方向指示部からの接触点の前後左右移動によって子音文字が入力され、前記各方向指示部へのタッチおよびプッシュによって母音文字が入力されることを特徴とする、請求項４４に記載の文字入力装置。
【請求項４６】
前記各方向指示部の間に備えられる４個の補助方向指示部をさらに含むことを特徴とする、請求項４４に記載の文字入力装置。
【請求項４７】
前記各方向指示部への接触または基準入力部を通過する接触点の移動のうちのいずれか一つによって母音文字が入力され、他の一つによって各種機能命令が入力されることを特徴とする、請求項４６に記載の文字入力装置。
【請求項４８】
前記基準入力部、方向指示部、および方向表示部は、前記タッチスクリーンに左右にそれぞれ２個ずつ２セットに備えられることを特徴とする、請求項４４乃至請求項４７のうちのいずれか一つの請求項に記載の文字入力装置。
【請求項４９】
前記各方向指示部に対する接触、前記基準入力部から前記各方向指示部への接触点の移動、前記方向指示部の外郭から前記方向指示部への接触点の移動、前記方向指示部から前記方向指示部の外郭への接触点の移動、前記方向指示部から前記基準入力部への接触点の移動によりそれぞれ互いに異なる文字が入力されることを特徴とする、請求項４４に記載の文字入力装置。
【請求項５０】
前記各方向指示部に対するプッシュ、前記基準入力部から前記各方向指示部へのプッシュ点の移動、前記方向指示部の外郭から前記方向指示部へのプッシュ点の移動、前記方向指示部から前記方向指示部の外郭へのプッシュ点の移動、前記方向指示部から前記基準入力部へのプッシュ点の移動によりそれぞれ互いに異なる文字が入力されることを特徴とする、請求項４４に記載の文字入力装置。
【請求項５１】
前記一つ以上の入力動作が特定の方向指示部から円周方向の他の方向指示部に移動する円周移動と結合して、各入力動作による文字と異なる文字を入力することを特徴とする、請求項４９または請求項５０に記載の文字入力装置。
【請求項５２】
入力領域が備えられたタッチスクリーン；
前記入力領域に環形態に備えられて、円周方向に互いに均一な離隔距離を有して配置される多数の方向指示部を備えた環入力部；
前記タッチスクリーンの下部に備えられて、前記環入力部上の各方向指示部へのプッシュを感知するプッシュ感知部；および
前記タッチスクリーンで感知された前記各方向指示部に対する接触、前記プッシュ感知部で感知された前記各方向指示部へのプッシュ、および前記環入力部上の方向指示部を通過する接触点またはプッシュ点の移動方向により前記各入力動作に対応する文字データをメモリ部から抽出して入力する制御部；を含むことを特徴とする、文字入力装置。
【請求項５３】
前記方向指示部から前記環入力部を外れて他の方向指示部に到達する接触点またはプッシュ点の移動による入力動作と、前記環入力部の外郭から前記方向指示部を通過して前記環入力部を外れて他の方向指示部に到達する接触点またはプッシュ点の移動による入力動作とでそれぞれ互いに異なる文字が入力されることを特徴とする、請求項５２に記載の文字入力装置。
【請求項５４】
前記方向指示部から前記環入力部を外れて他の方向指示部に到達する接触点またはプッシュ点の移動による入力動作と、前記方向指示部から前記環入力部を外れて他の方向指示部を通過して前記環入力部を外れる接触点またはプッシュ点の移動による入力動作とでそれぞれ互いに異なる文字が入力されることを特徴とする、請求項５２に記載の文字入力装置。
【請求項５５】
前記環入力部の中央に基準入力部がさらに備えられて、
前記方向指示部から前記環入力部を外れる接触点またはプッシュ点の移動による入力動作と、前記方向指示部から環入力部を外れて前記基準入力部に到達する接触点またはプッシュ点の移動による入力動作と、前記方向指示部から環入力部を外れて前記基準入力部を通過する接触点またはプッシュ点の移動による入力動作と、前記方向指示部から環入力部を外れて前記基準入力部を通過して他の方向指示部に到達する接触点またはプッシュ点の移動による入力動作と、および環入力部の外郭からいずれか一つの方向指示部、基準入力部、および他の一つの方向指示部を通過して再び環入力部の外郭に外れる移動による入力動作とでそれぞれ異なる文字が入力されることを特徴とする、請求項５２に記載の文字入力装置。
【請求項５６】
入力領域が備えられたタッチスクリーン；
前記入力領域に左右に２個に備えられた基準入力部；
前記各基準入力部を中心に放射状に互いに均一な離隔距離を有して配置される４個の方向指示部；
前記基準入力部および各方向指示部の一側に備えられて、前記基準入力部および方向指示部で行われる接触点の移動方向が表示される方向表示部；および
前記タッチスクリーンで感知された前記各方向指示部への接触、前記各基準入力部を通過する接触点の移動方向、および前記各方向指示部からの接触点の移動方向により前記各入力動作に対応する文字データをメモリ部から抽出して入力する制御部；を含むことを特徴とする、文字入力装置。
【請求項５７】
前記各方向指示部からの接触点の移動方向は、前後または左右のうちのいずれか一つに備えられることを特徴とする、請求項５６に記載の文字入力装置。
【請求項５８】
前記各方向指示部からの接触点の移動方向は、前記基準入力部に向かう内向移動または外向移動のうちの一つ以上に備えられることを特徴とする、請求項５６に記載の文字入力装置。
【請求項５９】
前記方向指示部は、４個の追加方向指示部をさらに含んで総計８個に備えられ、前記各方向指示部からの接触点の移動方向は、前記基準入力部に向かう内向移動または外向移動のうちの一つ以上に備えられることを特徴とする、請求項５６に記載の文字入力装置。
【請求項６０】
前記基準入力部を通過する接触点の移動方向は、４個または８個のうちのいずれか一つに備えられることを特徴とする、請求項５１または請求項５６に記載の文字入力装置。
【請求項６１】
前記各方向指示部の間に備えられる４個の補助方向指示部をさらに含むことを特徴とする、請求項５７に記載の文字入力装置。
【請求項６２】
前記基準入力部を通過する接触点の移動によって各種機能命令が入力され、前記各方向指示部および補助方向指示部への接触および接触点の移動によって文字が入力されることを特徴とする、請求項６１に記載の文字入力装置。
【請求項６３】
前記各方向指示部への接触によって母音文字が入力され、接触点の移動によって子音文字が入力されることを特徴とする、請求項５６に記載の文字入力装置。
【発明の詳細な説明】
【技術分野】
【０００１】
本発明は、文字入力装置に関するものであって、特に、最小限の入力領域を有して、入力しようとする文字を全て配置することができて、小型化に適していると同時に、配置された各文字を単一（１回）の入力動作によって入力することができる文字入力装置に関するものである。
【背景技術】
【０００２】
ソフトウェアや半導体技術、および情報処理技術の発達に伴って情報機器がますます小型化されており、このような情報機器での文字入力量および重要度が日増しに大きくなっている。
しかし、このような情報機器での各種文字や命令語の入力に多くの問題点が露呈されている。例えば、ＰＣ（Ｐｅｒｓｏｎａｌ  Ｃｏｍｐｕｔｅｒ）またはノートパソコン（ＮｏｔｅＢｏｏｋ）に使用されるキーボードなどの入力装置は、大きさを小さくするのに限界があるので、これらの情報機器を小型化するのが難しく、ＰＤＡ（Ｐｅｒｓｏｎａｌ  Ｄａｔａ  Ａｓｓｉｓｔａｎｔ）で使用するタッチスクリーン方式や携帯電話機で使用するキーパッド方式は、入力速度が遅くて打ち間違えることが多いため、不便であった。
【０００３】
前述したＰＣ、ノートパソコン、ＰＤＡ、または携帯電話などの情報機器でより速い速度で文字、数字、または記号などを入力するためには、１回の入力動作で１個の音素（文字）が入力される、いわゆる１動作１音素入力が行われる必要があるが、このような１動作１音素入力がハングルを対象とする場合には、２４個以上の文字を入力するためのボタンや入力キーが情報機器に配列される必要がある。入力の対象となる言語が英語や日本語、またはその他の外国語である場合には、ハングルの場合よりさらに多くのボタンや入力キーが配列される必要があることもある。
しかし、各種情報機器で使用した従来の入力装置は、それぞれの入力キーに文字を割り当てて指で打ったり押して入力する方式であるので、入力キーの配列面積が狭い携帯電話などの個人携帯用情報端末器には、指の大きさの入力キーを２４個以上配列するのは難しい。
これが、今までキーボードが小型化されなかった理由であり、携帯電話の場合には、単に１２個のボタンで２４字以上のハングル文字を全て入力するためには、１個のボタンに複数個の文字を重複して配列するしかなく、その結果、一つの文字（音素）を入力するために二回、三回繰り返して入力する反復入力現象が頻繁に発生した。したがって、その分入力が遅くなって不便であった。
【０００４】
最近、携帯電話やＰＤＡなどの小型端末器は、ＴＶ、インターネットなどより多様で多くの情報を効率的に提供するために、画面がますます大きくなる傾向にある。そのために、最近市場に発表された製品の中には、タッチスクリーン式の液晶画面を採用して入力のための別途の空間を削除する代わりに、タッチスクリーンで入力を行ったりもする。この場合、画面を最大化することができる長所があるが、タッチスクリーンに文字入力および各種機能命令を行うための十分な個数のキーボードを配列するのには依然として困難であるのが事実である。つまり、画面全体を入力キーボードに割り当てることはできない上に、画面の一領域に前記多様なキーボードを配列するためにキーボードの大きさを小さくして配列する場合、大きさの小さいキーボードが隙間なく配列されるため、入力時に打ち間違えが頻繁に発生するようになる問題点があった。また、キーボードのように速い入力が事実上難しい問題点もあった。
【０００５】
しかも、タッチスクリーンでキーボードの大きさを拡大するために少ない個数のキーボードを配列する場合には、所望の文字を入力するために２個以上のキーボードを繰り返して選択しなければならないので、速い入力が不可能な問題点があった。
【０００６】
このような問題を解消するために、「天地人」のように所定の文字を組み合わせて入力する文字入力方式が提案されたりもしたが、この方式によっても反復入力現象は解消することができなかった。また、アルファベットの場合には、「Ｔ９」という入力方式が提案されたが、この場合にも１回の動作で１音素を入力することができない問題点があった。
【０００７】
また、巻いて携帯することができるキーボードや、キーボードのイメージを床に映写して、その上で指でキーボードを入力するような動作を行えば指の位置を感知して入力が行われる仮想レーザーキーボードなどの技術も提案された。
しかし、このような種類の入力装置は、常に携帯しなければならないので不便であり、床に置かれた状態でだけ入力が可能であるので、移動中に手で持って入力する必要がある個人携帯用情報端末器に適用するには不適切な問題点があった。
【発明の概要】
【発明が解決しようとする課題】
【０００８】
したがって、本発明は、最小限の入力領域を有して、入力しようとする文字を全て配置することができて、小型化に適していると同時に、配置された各文字を単一（１回の）入力動作によって入力することによって、迅速で正確な文字入力が可能な文字入力装置を提供することにある。
【課題を解決するための手段】
【０００９】
前記目的は、本発明により、入力領域を有するベースと、前記入力領域に備えられて、前記入力領域への接触または接触の移動を感知する一つ以上の感知部と、前記入力領域に備えられた基準入力部を中心に前記感知部で感知された接触点の位置または前記接触点の移動方向により前記各入力動作に対応する文字データをメモリ部から抽出して入力する制御部と、を含む文字入力装置によって達成される。
【００１０】
ここで、前記感知部は、前記基準入力部を中心に放射状に配置される複数の方向指示部に対応して前記入力領域に分割区画され、前記制御部が接触が感知された前記感知部に対応する各方向指示部に割り当てられたデータを抽出して入力することができる。
前記感知部は、前記基準入力部を除いた前記入力領域全体にかけて分布され、前記入力領域には前記基準入力部を中心に放射状に均一な離隔距離を有して配置される複数の方向指示部が備えられる。
【００１１】
前記入力動作は、前記接触点が前記基準入力部から前記各方向指示部に向かって外向移動されることによって行われる。
前記入力動作は、前記接触点が前記各方向指示部から前記基準入力部に向かって内向移動されることによって行われる。
前記入力動作は、前記接触点がいずれか一つの方向指示部から前記基準入力部を通過して他の一つの方向指示部に移動されることによって行われる。
前記入力動作は、前記接触点が前記各方向指示部から前記基準入力部を中心に所定の半径を有する円の接線方向に移動されることによって行われる。
【００１２】
前記制御部は、前記各方向指示部からの接触点の移動方向により互いに異なる信号をそれぞれ区分して入力することができる。
前記入力動作は、前記接触点が前記基準入力部を中心に円周方向に移動されることによって行われる。
前記制御部は、前記円周方向の入力動作が開始および終了される各方向指示部、入力動作の方向、および入力動作の距離によりそれぞれ互いに異なる文字を抽出して入力することができる。
【００１３】
前記入力動作は、前記接触点が前記各方向指示部から前記基準入力部を中心に前後方向に移動されることによって行われる。
前記入力動作は、前記接触点が前記各方向指示部から前記基準入力部を中心に左右方向に移動されることによって行われる。
前記入力動作は、前記接触点が前記各方向指示部から前記基準入力部を中心に前後左右方向に移動されることによって行われる。
【００１４】
前記基準入力部には前記基準入力部への接触を感知する基準入力感知部が備えられる。
前記各入力動作のうちの２つ以上を組み合わせてハングル文字または英語文字を入力することができる。
前記各入力動作のうちの１つ以上をさらに組み合わせて数字、記号、モード転換、または機能を入力することができる。
【００１５】
前記方向指示部は、４〜１２方向のうちのいずれか一つに備えられる。
前記入力動作が前記接触点の移動によって行われる場合、前記接触点の移動距離の差により２段以上の多段入力が可能に備えられる。
前記感知部は、前記各方向指示部へのプッシュを感知するプッシュ感知センサーであり、プッシュの強さにより２段以上の多段入力が可能に備えられる。
前記感知部は、前記入力領域に備えられるタッチパッドである。
前記感知部は、タッチスクリーンである。
【００１６】
前記基準入力部または前記各方向指示部のうちの一つ以上には前記各入力動作方向を表示する方向表示部が備えられる。
前記方向表示部には前記各方向表示部による入力動作によって入力される文字が表示される。
前記方向表示部は、入力される文字のモードにより大きさおよび色が変更される。
前記基準入力部は、前記入力領域内で移動が可能に備えられる。
【００１７】
前記入力領域の一側には待機領域が備えられ、前記入力領域に位置した前記基準入力部または方向表示部のうちのいずれか一つをタッチして前記待機領域に移動（いわゆる、ドラッグ）させると、前記方向表示部は前記タッチスクリーンから隠され、前記基準入力部をタッチして前記入力領域に復帰させると、前記方向表示部が再び表示される。
【００１８】
ここで、前記基準入力部または前記方向表示部は、透明度の調節が可能に備えられる。
前記基準入力部は、２個以上備えられて、前記入力領域の周りに互いに所定の離隔距離を有して上下に配置される。
前記基準入力部は、２個以上備えられて、前記入力領域に左右にそれぞれ配置される。
前記基準入力部および感知部は、前記タッチスクリーンに隣接した前記ベースに上下または左右にそれぞれ２つずつ備えられる。
【００１９】
前記ベースに備えられて、前記制御部によって抽出された文字が表示される表示部をさらに含み、前記表示部の一側には前記各入力動作に割り当てられた文字などが表示される文字表示部が備えられる。
前記文字入力装置は、マウス入力モードに転換される場合には、前記接触点の移動によってポインタ移動を行い、接触によってマウスの左右ボタン機能を行うことができる。
前記文字入力装置は、ジョイスティック入力モードに転換される場合には、前記接触点の移動によってキャラクターの移動を行い、接触によってキャラクターの各種操作機能を行うことができる。
前記接触点の移動時に、前記基準入力部から遠くなるほど、前記マウスポインタの移動速度またはキャラクターの移動速度が次第に増加するようにすることができる。
前記基準入力部は、前記入力領域に２セット備えられ、いずれか一つの基準入力部セットによってマウスポインタまたはキャラクターの移動が行われ、他の一つの基準入力部セットによってマウスの左右ボタンまたはキャラクターの各種操作が行われる。
【００２０】
前記方向指示部は、８個備えられて、接触によって８個の文字が入力され、前記各方向指示部から前記基準入力部を中心に半径方向に接触点が内向移動（８個）および外向移動（８個）される入力動作によって、総計２４個の文字が入力可能に備えられる。
前記方向指示部は、４個備えられて、接触によって４個の文字が入力され、前記各方向指示部から前記基準入力部を中心に半径方向に接触点が内向移動（４個）および外向移動（４個）されて１２個の文字が入力可能であり、前記基準入力部および方向指示部が前記入力領域の左右に２対備えられて、総計２４個の文字入力が可能に備えられる。
【００２１】
一方、前記目的は、本発明により、入力領域が備えられたタッチスクリーンと、前記入力領域に備えられた基準入力部と、前記基準入力部を中心に放射状に互いに均一な離隔距離を有して配置される４個の方向指示部と、前記基準入力部および各方向指示部の一側に備えられて、前記基準入力部および方向指示部で行われる接触点の移動方向が表示される方向表示部と、前記タッチスクリーンで感知された前記各方向指示部への接触、前記基準入力部を通過する接触点の移動方向、または前記各方向指示部からの接触点の前後左右移動方向により前記各入力動作に対応する文字データをメモリ部から抽出して入力する制御部と、を含む文字入力装置によっても達成される。
【００２２】
また、前記各方向指示部の間に備えられる４個の補助方向指示部をさらに含むことができる。
前記基準入力部を通過する接触点の移動によって母音文字が入力され、前記各方向指示部からの接触点の前後左右移動によって子音文字が入力され、前記各方向指示部への接触によって各種機能命令が入力される。
前記基準入力部、方向指示部、および方向表示部は、前記タッチスクリーンに左右にそれぞれ２個ずつ２セット備えられる。
前記基準入力部を通過する接触点の移動方向は、４方向または８方向のうちのいずれか一つが備えられる。
【００２３】
一方、前記目的は、本発明により、入力領域が備えられたタッチスクリーンと、前記入力領域に備えられた基準入力部と、前記基準入力部を中心に放射状に互いに均一な離隔距離を有して配置される４個の方向指示部と、前記基準入力部および各方向指示部の一側に備えられて、前記基準入力部および方向指示部で行われる接触点の移動方向が表示される方向表示部と、前記タッチスクリーンの下部に備えられて、前記各方向指示部へのプッシュを感知するプッシュ感知部;および前記タッチスクリーンで感知された前記各方向指示部への接触、前記プッシュ感知部で感知された前記各方向指示部へのプッシュ、前記基準入力部を通過する接触点の移動方向、および前記各方向指示部からの接触点の前後左右移動方向により前記各入力動作に対応する文字データをメモリ部から抽出して入力する制御部と、を含む文字入力装置によっても達成される。
【００２４】
前記各方向指示部からの接触点の前後左右移動によって子音文字が入力され、前記各方向指示部へのタッチおよびプッシュによって母音文字が入力される。
前記各方向指示部の間に備えられる４個の補助方向指示部をさらに含むことができる。
前記各方向指示部への接触または基準入力部を通過する接触点の移動のうちのいずれか一つによって母音文字が入力され、他の一つによって各種機能命令が入力される。
【００２５】
前記基準入力部、方向指示部、および方向表示部は、前記タッチスクリーンに左右にそれぞれ２個ずつ２セットが備えられる。
また、前記各方向指示部に対する接触、前記基準入力部から前記各方向指示部への接触点の移動、前記方向指示部の外郭から前記方向指示部への接触点の移動、前記方向指示部から前記方向指示部の外郭への接触点の移動、前記方向指示部から前記基準入力部への接触点の移動によりそれぞれ互いに異なる文字が入力される。
【００２６】
そして、前記各方向指示部に対するプッシュ、前記基準入力部から前記各方向指示部へのプッシュ点の移動、前記方向指示部の外郭から前記方向指示部へのプッシュ点の移動、前記方向指示部から前記方向指示部の外郭へのプッシュ点の移動、前記方向指示部から前記基準入力部へのプッシュ点の移動によりそれぞれ互いに異なる文字が入力される。
この時、前記一つ以上の入力動作が特定の方向指示部から円周方向の他の方向指示部に移動する円周移動と結合して、各入力動作による文字と異なる文字を入力することもできる。
【００２７】
また、本発明の目的は、入力領域が備えられたタッチスクリーンと、前記入力領域に環形態に備えられて、円周方向に互いに均一な離隔距離を有して配置される多数の方向指示部を備えた環入力部と、前記タッチスクリーンの下部に備えられて、前記環入力部上の各方向指示部へのプッシュを感知するプッシュ感知部と、前記タッチスクリーンで感知された前記各方向指示部に対する接触、前記プッシュ感知部で感知された前記各方向指示部へのプッシュ、および前記環入力部上の方向指示部を通過する接触点またはプッシュ点の移動方向により前記各入力動作に対応する文字データをメモリ部から抽出して入力する制御部と、によっても達成される。
この時、前記方向指示部から前記環入力部を外れて他の方向指示部に到達する接触点またはプッシュ点の移動による入力動作と、前記環入力部の外郭から前記方向指示部を通過して前記環入力部を外れて他の方向指示部に到達する接触点またはプッシュ点の移動による入力動作とでそれぞれ互いに異なる文字が入力される。
【００２８】
また、前記方向指示部から前記環入力部を外れて他の方向指示部に到達する接触点またはプッシュ点の移動による入力動作と、前記方向指示部から前記環入力部を外れて他の方向指示部を通過して前記環入力部を外れる接触点またはプッシュ点の移動による入力動作とでそれぞれ互いに異なる文字が入力される。
そして、前記環入力部の中央に基準入力部がさらに備えられて、前記方向指示部から前記環入力部を外れる接触点またはプッシュ点の移動による入力動作と、前記方向指示部から環入力部を外れて前記基準入力部に到達する接触点またはプッシュ点の移動による入力動作と、前記方向指示部から環入力部を外れて前記基準入力部を通過する接触点またはプッシュ点の移動による入力動作と、前記方向指示部から環入力部を外れて前記基準入力部を通過して他の方向指示部に到達する接触点またはプッシュ点の移動による入力動作とでそれぞれ異なる文字を入力することもできる。
【００２９】
一方、前記目的は、本発明により、入力領域が備えられたタッチスクリーンと、前記入力領域に左右に２個備えられた基準入力部と、前記各基準入力部を中心に放射状に互いに均一な離隔距離を有して配置される４個の方向指示部と、前記基準入力部および各方向指示部の一側に備えられて、前記基準入力部および方向指示部で行われる接触点の移動方向が表示される方向表示部と、前記タッチスクリーンで感知された前記各方向指示部への接触、前記各基準入力部を通過する接触点の移動方向、および前記各方向指示部からの接触点の移動方向により前記各入力動作に対応する文字データをメモリ部から抽出して入力する制御部と、を含む文字入力装置によっても達成される。
【００３０】
前記各方向指示部からの接触点の移動方向は前後または左右のうちのいずれか一つが備えられる。
前記各方向指示部からの接触点の移動方向は前記基準入力部に向かう内向移動または外向移動のうちの一つ以上備えられる。
前記方向指示部は、４個の追加方向指示部をさらに総計８個が備えられ、前記各方向指示部からの接触点の移動方向は前記基準入力部に向かう内向移動または外向移動のうちの一つ以上が備えられる。
【００３１】
前記基準入力部を通過する接触点の移動方向は、４個または８個のうちのいずれか一つが備えられる。
前記各方向指示部の間に備えられる４個の補助方向指示部をさらに含むことができる。
前記基準入力部を通過する接触点の移動によって各種機能命令が入力され、前記各方向指示部および補助方向指示部への接触および接触点の移動によって文字が入力されることができる。
前記各方向指示部への接触によって母音文字が入力され、接触点の移動によって子音文字が入力されることができる。
【発明の効果】
【００３２】
したがって、本発明の文字入力装置は、基準入力部が配置された最小限の入力領域を有して、入力しようとする文字を全て配置することができ、小型化に適していると同時に、配置された各文字を単一（１回の）入力動作によって入力することができるので、迅速で正確な入力が可能である。
【図面の簡単な説明】
【００３３】
【図１】発明の一実施例による文字入力装置の斜視図である。
【図２】図１に示された感知部の多様な実施例を示した要部拡大図である。
【図３】本発明の他の実施例による文字入力装置の平面図である。
【図４】本発明による文字入力装置で多様な実施例による入力動作を示した概略図である。
【図５】本発明による文字入力装置で多様な実施例による入力動作を示した概略図である。
【図６】本発明の多様な実施例による方向表示部を示した要部拡大図である。
【図７】本発明の多様な実施例による方向表示部を示した要部拡大図である。
【図８】本発明の多様な実施例による方向表示部を示した要部拡大図である。
【図９】本発明による文字入力装置が２対備えられたことを示した平面図である。
【図１０】本発明による文字入力装置が２対備えられたことを示した平面図である。
【図１１】本発明の多様な実施例による基準入力部および方向指示部の配列を示した平面図である。
【図１２】本発明の多様な実施例による基準入力部および方向指示部の配列を示した平面図である。
【図１３】本発明の実施形態を説明するための構成図である。
【図１４】本発明の基本的な入力動作を示した構成図である。
【図１５】本発明の基本的な入力動作を示した構成図である。
【図１６】本発明での円周移動入力を説明するための構成図である。
【図１７】本発明での円周移動入力を説明するための構成図である。
【図１８】本発明での円周移動入力を説明するための構成図である。
【図１９】本発明の多様な入力動作が一つの装置に全て含まれている形態を示した構成図である。
【図２０】本発明の基本的な入力動作および円周移動入力が組み合わされた形態を説明するための構成図である。
【図２１】本発明の基本的な入力動作および円周移動入力が組み合わされた形態を説明するための構成図である。
【図２２】本発明の基本的な入力動作および円周移動入力が組み合わされた形態を説明するための構成図である。
【図２３】本発明の入力動作の変形形態を説明するための構成図である。
【発明を実施するための形態】
【００３４】
以下、添付した図面を参照して、本発明について詳細に説明する。
図面を参照すると、本発明による文字入力装置１は、入力領域２５（図２参照）を有するベース１０と、入力領域２５に備えられて、入力領域２５への接触または接触の移動を感知する複数の感知部２０と、入力領域２５の一側に備えられた基準入力部３０を中心に感知部２０で感知された接触点の位置または前記接触点の移動方向により前記各入力動作に対応する文字データをメモリ部（図示せず）から抽出して入力する制御部（図示せず）と、を含む。
【００３５】
図１は、本発明の一実施例による文字入力装置１の平面図である。
図面を参照すると、感知部２０は、入力領域２５（図２参照）が備えられたベース１０の一側に備えられて、前記入力領域２５への接触または接触の移動を感知する。
感知部２０は、多様な種類が備えられ、例えば、図１に示されているように、タッチパッド（Ｔｏｕｃｈ  Ｐａｄ、２１）で備えられてもよく、図２に示されているように、接触センサー、圧力センサー、プッシュ感知センサー（スイッチ）、または抵抗センサーなどを複数個備えてもよい。
【００３６】
また、図３に示されているように、タッチパッド２１にディスプレイ機能が追加されたタッチスクリーン（Ｔｏｕｃｈ  Ｓｃｒｅｅｎ、２３）で備えられてもよい。
つまり、感知部２０は、タッチパッド２１またはタッチパッド２１にディスプレイ機能が追加されたタッチスクリーン２３を含み、指や物体の接触および移動を感知することができるタッチ（接触）センサーを含む。
また、感知部２０は、一つの感知センサーで備えられることもでき、タッチパッド２１またはタッチスクリーン２３のように所定の入力空間に複数個が規則的に配列されて形成されることもある。
感知部２０がタッチパッド２１またはタッチスクリーン２３で備えられる場合には、基準入力部３０を中心に各方向指示部５０に対応して入力領域２５が分割区画される。
【００３７】
また、感知部２０は、図１に示されているように、入力領域２５の全体にかけて備えられることもでき、図２（ａ）に示されているように、各方向指示部５０に対応して所定の面積に備えられることもでき、図２（ｂ）に示されているように、基準入力部３０を中心に入力領域２５の一部だけに備えられることもできる。
入力領域２５の一側には基準入力部３０が備えられる。
基準入力部３０は、感知部２０で感知される接触または接触点の移動に対する基準として、制御部（図示せず）で接触点の相対的位置または接触点の移動方向を判断することができるようにする。
【００３８】
基準入力部３０は、図２に示されているように、入力領域２５の一側に固定されて備えられることもでき、図１および図３に示されているように、感知部２０がタッチパッド２１またはタッチスクリーン２３で備えられる場合には、ドラッグ（Ｄｒａｇ）によって移動が可能に備えられることもできる。
【００３９】
後者の場合、図３を例に挙げて説明すると、文字入力装置１が文字入力モードではない場合には、タッチスクリーン２３の一側に備えられた待機領域２６に位置している時に文字入力モードに転換されると、使用者は、待機領域２６に位置した基準入力部３０または方向表示部３３をドラッグして入力領域２５に引き出した後で、文字入力を行うことができる。
この場合、使用者が文字入力のための基準入力部３０の位置を思い通りに選択することができるので、使用者の便宜性が増大される。
【００４０】
ここで、方向表示部３３は、待機領域２６にある時には見えないが、基準入力部３０が入力領域２５に移動されると現れるようにすることができる。
基準入力部３０も、待機領域２６に位置して所定の時間が経過した後に見えなくなるようにすることができ、待機領域２６をタッチしたり、タッチ後に移動動作のために所定の時間以上が経過すると、再び現れるようにすることができる。
一方、基準入力部３０への接触を感知する基準入力感知部（図示せず）がさらに備えられる。
【００４１】
図２を参照すると、方向指示部５０は、基準入力部３０を中心に放射状に配置される。
方向指示部５０は、基準入力部３０から均一な離隔距離を有して互いに均一な角度をなして配置されるのが好ましい。
方向指示部５０は、多様な個数に備えられることができ、例えば、図２に示されているように、４個備えられることもでき、８個備えられることもでき、１２個備えられることもできる。
各方向指示部５０には所定の文字が割り当てられているので、各方向指示部５０への接触が感知される場合、制御部は、各方向指示部５０に割り当てられた文字をメモリ部から抽出して入力する。
【００４２】
ここで、図１に示されているように、ベース１０の他側に制御部によって抽出された文字が表示される表示部１５が備えられる。
この場合、表示部１５には基準入力部３０を基準とする各入力動作に割り当てられた文字などが表示される文字表示部５６がさらに備えられる。
文字表示部５６は、基準入力部３０を中心にする各入力動作および各入力動作に割り当てられた文字が表示されることによって、使用者が文字表示部５６を見ながら文字入力を行うことができるようにする。
文字表示部５６は、使用者の操作により表示されるようにすることもでき、隠れるようにすることもできる。
【００４３】
<第１実施例>
以下、前述した構造を有する本発明の文字入力装置１での基本的な入力動作に対する第１実施例を、図４および図５を参照して具体的に説明する。
ここで、以下で本明細書で言及される「文字」とは、ハングル文字、英語文字、日本語文字などの各国言語を表わすための子音または母音文字を意味するもので、数字や記号などを除く狭い意味と定義する。
【００４４】
図４を参照すると、図４（ａ）は基準入力部３０の外部に放射状に８個の方向指示部（５０ａ〜５０ｈ）が配置されている。
各方向指示部５０には文字が割り当てられているので、各方向指示部５０への接触が感知される場合、制御部は、接触が感知された当該方向指示部５０ａに割り当てられた文字コードをメモリ部から抽出して入力する。
一方、感知部２０の下部には各方向指示部５０へのプッシュを感知するプッシュ感知部（図示せず）がさらに備えられる。この場合、各方向指示部５０のタッチおよびプッシュによって２段の入力が可能になる。
また、プッシュ感知部を圧力センサーなどで備えることによって、プッシュの強さによりプッシュだけで２段以上の入力が可能に備えることもできる。
【００４５】
図４（ｂ）は基準入力部３０の外部での接触点の移動方向による文字入力を示したものである。
例えば、接触点が基準入力部３０の上部から右側に移動する入力動作（ａ参照）によって
【数１】
2010525480.tif 000003
が入力され、左側に移動する入力動作（ｂ参照）によって
【数２】
2010525480.tif 000004
が入力され、基準入力部３０の右側から上部に移動する入力動作（ｃ参照）によって
【数３】
2010525480.tif 000005
が入力され、下部に移動する入力動作（ｄ参照）によって
【数４】
2010525480.tif 000006
が入力されるようにする。
つまり、制御部は感知部２０で接触点の移動が感知される場合、基準入力部３０を座標原点として最初の接触点の座標および最後の接触点の座標によって接触点の移動方向を判断することによって、前記各入力動作を区別して、各入力動作に対応する文字コードを抽出する。
【００４６】
同様に、図４（ｃ）は基準入力部３０を中心に斜めに（例えば、４５度の角度をなして）接触点が移動することを示したものであり、図４（ｄ）は基準入力部３０を通過して接触点が移動することを示したものであり、図４（ｅ）は基準入力部３０から半径方向に接触点が外向移動されることを示したものであり、図４（ｆ）は反対に各放射方向から基準入力部３０に向かって接触点が内向移動されることを示したものである。
【００４７】
一方、図４（ｇ）は接触点が基準入力部３０を通過する時に所定の角度をなして通過することを示したものである。つまり、６時方向の方向指示部５０から出発した接触点が基準入力部３０を経て３時方向または５時方向に移動することができ、それぞれの接触点である出発位置および基準入力部３０を経由して接触点が到達した方向指示部５０の位置によって互いに異なる文字を入力することができる。
【００４８】
一方、図５を参照すると、図５（ａ）は基準入力部３０の外部の各放射方向から上下に接触点が移動することを示したものであり、図５（ｂ）は基準入力部３０の外部の各放射方向から左右に接触点が移動することを示したものであり、図５（ｃ）は各放射方向から上下左右へ移動することを示したものであり、図５（ｄ）および図５（ｅ）は基準入力部３０の周りから接触点が円周方向に移動することを示したものである。
【００４９】
整理すると、本発明による文字入力装置１は、基準入力部３０を中心に図４（ａ）に示されたような接触点の位置と、図４（ｂ）〜図５に示された接触点の移動のような各入力動作とを区分して行うことによって、各入力動作に割り当てられた文字を入力するのである。
【００５０】
ここで、図４および図５に示された各入力動作はそれぞれ個別に適用することもでき、２つ以上を組み合わせて適用することもできる。
まず、前述した各入力動作が個別に適用されることを説明すると、図４（ａ）の場合、８個の方向指示部５０の接触によって総計８個の文字入力ができ、図４（ｂ）の場合も、ａからｈまで総計８個の文字入力ができ、図５（ｃ）の場合には、各放射方向ごとに４個ずつ総計１６個の文字入力ができる。
【００５１】
一方、各方向指示部５０には、図６および図７に示されているように、各方向指示部５０を通過する接触点の移動方向を表示する方向表示部５５が備えられる。
また、各方向表示部５５または方向指示部５０には、図８に示されているように、各方向指示部５０での入力動作によって入力される文字が表示される。
【００５２】
図６を参照して、２つ以上の基本入力動作が組み合わされたことを説明する。
図６は図４（ａ）および図５（ｃ）が組み合わされたものである。
つまり、基準入力部３０の周りには４個の方向指示部５０ａ、５０ｂ、５０ｃ、５０ｄが備えられているので、各方向指示部５０への接触によって４個の文字入力ができ、各方向指示部５０ごとに接触点の移動によって１６個の文字入力ができるので、総計２０個の文字入力が可能になる。
【００５３】
ここで、前記方向指示部５０の個数は自由に変更が可能であるので、方向指示部５０を８個備え、各方向指示部５０ごとに４個ずつの接触点の移動によって文字入力が可能であれば、総計４０個の文字入力が可能になる。
したがって、ハングル文字の場合は２４個、英語文字の場合は２６個を全て無理なく配置することができ、残る入力動作に対しては取り消し、エンター、数字、記号などの余分の文字を配置することができる。
また、３つ以上の前記基本入力動作を組み合わせる場合には、ハングル文字、英語文字は勿論、数字、記号だけでなく、取り消し、エンターなどの機能を配置することによって、入力モードの転換なく所望の文字をすぐに入力することができるようになる。
【００５４】
したがって、本発明の文字入力装置１は、基準入力部３０が配置された最小限の入力領域を有して、入力しようとする文字を全て配置することができ、小型化に適していると同時に、配置された各文字を一つの入力動作によって入力することができるので、迅速で正確な入力が可能である。
また、接触点の移動による入力動作において、移動距離の差によって各入力動作が多段で行われるようにすることもできる。
【００５５】
例えば、図４（ｂ）の場合、基準入力部３０から１２時方向に外向移動する入力動作の場合、移動距離が相対的に短いａの場合には１段入力、移動距離が相対的に長いｂの場合には２段入力に区分することによって、図４（ｂ）の基本入力動作だけで総計１６個の文字入力が可能である。
また、感知部２０の下部に各方向指示部５０へのプッシュを感知するプッシュ感知部（図示せず）をさらに備えることによって、感知部２０によってタッチを感知し、プッシュ感知部によってプッシュを感知するようにすることによって、２段以上の多段入力が可能に備えられる。
また、プッシュ感知部を例えば圧力センサーなどで備えることによって、プッシュの強さによりプッシュだけで多段入力を可能にすることもできる。
【００５６】
一方、本発明による文字入力装置１は、前述した各基本入力動作の以外に、基準入力部３０による文字入力が可能に備えられる。
例えば、基準入力部３０への接触も、図６に示されているように、基準入力部３０を通過する接触点の移動を行うことによって達成される。
【００５７】
つまり、図６の場合、基準入力部３０だけで８個の文字入力が可能になる。
この場合、基準入力部３０には基準入力部３０で行われる入力動作の方向を表示する方向表示部３３がさらに備えられる。
方向表示部３３は、図６に示されているように、基準入力部３３そのものに各移動方向により区分される線で備えられることもでき、図７に示されているように、基準入力部３０の外部に各移動方向に対応する矢印などで備えられることもできる。
ここで、前記方向区分線および矢印は同時に備えられることもでき、いずれか一つだけが備えられることもできる。
したがって、各基本入力動作、各基本入力動作の多段構成、および基準入力部３０による入力をそれぞれ個別にまたは組み合わせて使用することによって、入力しようとする全ての文字を配置することができる。
【００５８】
一方、図４および図５に示された各基本入力動作と基準入力部３０による入力動作とが組み合わされる場合、各入力動作に配置される文字はその種類によって多様に配置される。
例えば、基準入力部３０による各入力動作にはハングル母音、アルファベット母音などの母音文字を配置することができ、基準入力部３０の外部で行われる各入力動作にはハングル子音、アルファベット子音などの子音文字を配置することができる。
また、基準入力部３０には文字以外の数字や記号、または各種機能が割り当てられることもできる。
また、各方向指示部５０への接触による入力動作には母音文字が配置され、接触点の移動による入力動作には子音文字が配置され、基準入力部３０による入力動作には数字、記号、または機能が配置されることもできる。
【００５９】
一方、各方向指示部５０の間には、接触点の移動による入力動作が行われない補助方向指示部５１ａ、５１ｂ、５１ｃ、５１ｄがさらに備えられる。
補助方向指示部５１ａ、５１ｂ、５１ｃ、５１ｄは、接触だけを感知することによって、各補助方向指示部５１ａ、５１ｂ、５１ｃ、５１ｄに割り当てられた文字を入力するように備えられる。
【００６０】
一方、本発明による文字入力装置１は、各入力動作の方向および各入力動作によって入力される文字が表示される方向表示部５５をさらに含む。
方向表示部５５は、例えば、図６および図７に示されているように、各方向指示部５０に各入力動作に対応する矢印形状に備えられる。
前記方向表示部５５は、図８に示されているように、その形状および配置を自由に変更が可能である。
一方、各方向表示部５５には、図８に示されているように、各入力動作に割り当てられた文字が表示される。
【００６１】
ここで、各方向表示部５５に表示された文字は、入力モードにより変更されるようにすることもできるので、例えば、ハングル文字入力モードの場合には、各方向表示部５５にはハングル子母音だけが表示され、英語文字入力モードの場合には、アルファベット子母音だけが表示される。また、方向表示部５５は、使用者の熟練度により操作によって隠すことができる。
一方、前述した方向表示部５５が備えられる代わりに、表示部１５またはタッチスクリーン２３の一側に各入力動作および入力動作に割り当てられた文字が表示される文字表示部５６が備えられることもできる。ここで、文字表示部５６は、入力モードにより表示される文字の種類が変更されることができる。
【００６２】
一方、図９に示されているように、表示部１５またはタッチスクリーン２３の一側には現在の文字入力モードを表示するモード表示部５７がさらに備えられる。
また、本発明による文字入力装置１は、基準入力部３０を２個備えて、２対の入力セットを備えることもできる。
【００６３】
ここで、２対の入力セットは、図９および図１０に示されているように、ベース１０に備えられることもでき、タッチパッド２１またはタッチスクリーン２３上に備えられることもできる。
また、各入力セットの配列は、図９に示されているように、上下に配置されることもでき、図１０に示されているように、左右に配置されることもできる。
この場合、各入力セットは、互いに同一な入力動作で構成されることもでき、互いに異なる入力動作で構成されることもできる。
つまり、２個の入力セットのうちのいずれか一つは図４（ａ）および図５（ｃ）を組み合わせて構成し、残りの入力セットは図５（ｄ）だけから構成することもできる。
【００６４】
また、図６および図７に示された入力セットが左右に配置されることができ、この場合、基準入力部３０を通過する接触点の移動によって母音文字が入力され、各方向指示部５０からの接触点の前後左右移動によって子音文字が入力され、各方向指示部５０への接触によってエンター、スペース、取り消しなどの各種機能命令が入力されることができる。
前述のように、入力セットが２個備えられる場合には、基準入力部３０を通過する接触点の移動方向は四個備えられることができる。
また、前述した場合において、感知部２０、タッチパッド２１、タッチスクリーン２３を含み、プッシュ感知部をさらに備えることによって、各方向指示部５０への接触またはプッシュにより多段入力が可能に備えられることもできる。
この場合、各方向指示部５０からの接触点の左右移動によって子音文字を入力し、各方向指示部５０へのタッチおよびプッシュによって母音文字を入力することができる。
【００６５】
一方、補助方向指示部５１が備えられる場合には、各方向指示部５０への接触および接触点の移動、または基準入力部３０を通過する接触点の移動のうちのいずれか一つによって母音文字を入力し、他の一つによってエンター、スペース、取り消しなどの各種機能命令を入力することができる。
【００６６】
一方、２個の入力セットを備える場合には、各方向指示部５０からの接触点の移動方向が前後方向、または左右方向、または内向方向および外向方向だけで入力されるようにすることもできる。
例えば、図１１および図１２に示されているように、基準入力部３０がタッチスクリーン２３の左右に配置され、各基準入力部３０には８個の方向指示部５０が備えられ、各方向指示部５０には基準入力部３０に向かう外向移動（図１１参照）または内向移動（図１２参照）だけが構成されることができる。
【００６７】
前記各入力セットに含まれている入力動作の組み合わせは、入力モードの種類によっても変更が可能である。
例えば、ハングル入力モードでは図４（ａ）および図４（ｂ）を組み合わせた入力動作を使用し、アルファベット入力モードでは図４（ｄ）および図４（ｅ）を組み合わせた入力動作を使用することができる。
【００６８】
本発明による文字入力装置１をマウスとして使用することもできるが、例えば、ベース１０に備えられた転換キー１３を操作したり、タッチスクリーン２３によって入力動作を行ってマウス入力モードに転換されると、入力領域２５で接触または接触の移動によってマウス機能を行うようにすることができる。
つまり、接触点の移動によってマウスポインタの移動を行い、接触によってマウスの左右ボタンなどの機能を行うようにすることができる。
ここで、マウスの左右ボタンとは、通常のデスクトップＰＣまたはノートパソコンに使用される「マウス（Ｍｏｕｓｅ）」という入力装置で行われる左右ボタンプッシュまたは上下スクロールなどの機能を含む。
この場合、特に、図５（ｄ）および図５（ｅ）に示されているように、円周方向への入力動作によってスクロール（Ｓｃｒｏｌｌ）機能を行うこともできる。
【００６９】
一方、本発明の基準入力部３０を、図１０に示されているように、左右２セット備える場合、右側の入力セットはジョイスティックのポインタ機能、つまりゲームキャラクターの移動などを操作することができ、左側の入力セットは前記キャラクターの各種動作を行う命令を入力するようにすることができる。
この場合、キャラクターの移動の場合は、入力領域２５への接触が基準入力部３０からより遠くなる場合に、ポインタやキャラクターの移動速度が増加するようにすることもできる。
【００７０】
<第２実施例>
次に、本発明の文字入力装置１での入力動作に対する第２実施例を、図１３を参照して具体的に説明する。
図１３に示されているように、本実施例では、８個の方向指示部（５０ａ〜５０ｈ）を連結する入力ラインが備えられる。しかし、前記入力ラインは、使用者の便宜のために備えられたものにすぎず、前記方向指示部（５０ａ〜５０ｈ）が表示されているので、省略されてもよい。
【００７１】
前記方向指示部（５０ａ〜５０ｈ）については、図４（ａ）に示された各方向指示部に対する接触（接触入力、Ｘ）と、前記方向指示部を通過して内側への接触点の移動（内向接触入力、Ｙ）と、前記方向指示部を通過して外側への接触点の移動（外向接触入力、Ｚ）とでそれぞれ異なる文字を入力することができる。
【００７２】
例えば、前記各方向指示部（５０ａ〜５０ｈ）に対する接触入力に対しては子音文字が配列され、各方向指示部（５０ａ〜５０ｈ）に対する内向接触入力に対しては母音文字が配列され、各方向指示部（５０ａ〜５０ｈ）に対する外向接触入力に対しては子音文字が配列されることができる。
したがって、前記各方向指示部に配列された文字がハングル子音および母音であれば、いずれか一つの方向指示部で接触入力、内向接触入力、および外向接触入力を順次に行うことによって、一つの文字を完成することができるようになる。
<第３実施例>
【００７３】
次に、本発明の文字入力装置１での入力動作に対する第３実施例を、図１４および図１５を参照して具体的に説明する。
図１４には、各方向指示部５０に対する多様な入力動作が示されている。つまり、図１４（ａ）に示されているように、各方向指示部５０に対する接触で各方向指示部５０に割り当てられた文字を入力することができ、図１４（ｂ）に示されているように、基準入力部３０から各方向指示部５０への接触点の移動によって文字を入力することができ、図１４（ｃ）に示されているように、各方向指示部５０の外郭から各方向指示部５０への接触点の移動によって文字を入力することができる。
【００７４】
また、図１４（ｄ）に示されているように、各方向指示部５０から外郭への接触点の移動によって文字を入力することもできる。また、図１４（ｅ）に示されているように、各方向指示部５０から基準入力部３０への接触点の移動によって文字を入力することもできる。
以上のような各方向指示部５０に対する入力動作で同一な文字が入力されることもできるが、互いに異なる文字が入力されるようにすることもできる。また、各方向入力部５０に対する２つ以上の入力動作を組み合わせて、それぞれの入力動作とは異なる文字が入力されるようにすることもできる。
【００７５】
そして、図１４に示された入力動作がタッチスクリーンで備えられ、前記タッチスクリーンの下部にプッシュ感知部（図示せず）をさらに備え、前記プッシュ感知部では各方向指示部５０および基準入力部３０に対するプッシュを感知するようにすることもできる。
この場合には、前記５種類の入力動作に加えて、各方向指示部５０を押すプッシュ入力と、各方向指示部に対するプッシュ点の移動によって内向および外向プッシュ入力とが実現されることもできる。
【００７６】
より詳しく説明すると、図１５（ａ）に示されているように、各方向指示部５０に対するプッシュで各方向指示部５０に割り当てられた文字を入力することができ、図１５（ｂ）に示されているように、基準入力部３０から各方向指示部５０へのプッシュ点の移動によって文字を入力することができ、図１５（ｃ）に示されているように、各方向指示部５０の外郭から各方向指示部５０へのプッシュ点の移動によって文字を入力することができる。
【００７７】
また、図１５（ｄ）に示されているように、各方向指示部５０から外郭へのプッシュ点の移動によって文字を入力することもできる。また、図１５（ｅ）に示されているように、各方向指示部５０から基準入力部３０へのプッシュ点の移動によって文字を入力することもできる。
以上のような各方向指示部５０に対するプッシュと、プッシュ点の移動による入力動作とで同一な文字が入力されることもできるが、互いに異なる文字が入力されるようにすることもできる。
【００７８】
同時に、図１４および図１５に示された１０種類の入力動作を互いに組み合わせて新たな文字が入力されるようにすることができる。例えば、図１４（ａ）での方向指示部５０に対する接触と、図１５（ａ）での前記方向指示部５０に対するプッシュと、図１４（ｄ）での方向指示部５０からの外向接触移動とを連続的に行うことによって、前記方向指示部５０での各入力動作とは異なる新たな文字が入力されるようにすることもできる。
【００７９】
<第４実施例>
次に、本発明の文字入力装置１での入力動作に対する第４実施例を、図１６〜図１８を参照して具体的に説明する。
本実施例では、図１６に示された入力ラインに沿って配列された８個の方向指示部（５０ａ〜５０ｈ）のうちの特定の方向指示部から他の方向指示部への円周方向移動で文字を入力する円周移動入力が追加される。前記円周移動入力は、最初入力および最終入力を認識して、最初入力および最終入力に割り当てられた文字がそれぞれ入力されるようにすることもでき、最初入力および最終入力の組み合わせによって新たな文字が入力されるようにすることもできる。
【００８０】
より詳しく説明すると、図１６に示されているように、基準入力部３０から３時方向の方向指示部５０ｃに対する接触点の移動（図１６のＸ）によって文字を入力することもでき、方向指示部５０ｃの外郭から３時方向の方向指示部５０ｃに対する接触点の移動（図１６のＹ）によって文字を入力することもできる。
【００８１】
しかし、図１６のＸを行った状態で、１２時方向の方向指示部５０ａへの円周移動（図１６のＺ）をすると、図１６のＸに対して３時方向の方向指示部５０ｃに割り当てられた文字と、図１６のＺの円周移動に対して１２時方向の方向指示部５０ａに割り当てられた文字とが連続して入力される。
【００８２】
また、図１６のＹを行った状態で、１２時方向の方向指示部５０ａへの円周移動（図１６のＺ）をすると、図１６のＹに対して３時方向の方向指示部５０ｃに割り当てられた文字と、図１６のＺの円周移動に対して１２時方向の方向指示部５０ａに割り当てられた文字とが連続して入力される。
この時、図１６のＸを行った状態での円周移動入力と、図１６のＹを行った状態での円周移動入力とは、図１６のＸによる入力、図１６のＹによる入力、および図１６のＺによる入力とは異なる新たな文字が入力されるようにすることもできる。
【００８３】
また、円周移動入力を行う時に、最初入力については個別の入力を行う場合とは異なる文字が入力されるようにすることもできる。
つまり、図１７（ａ）のように、基準入力部３０が備えられて、前記基準入力部３０から各方向指示部５０への接触移動を行った後で円周移動入力を行うと、前記接触移動については他の文字が入力されることができる。また、図１７（ｂ）のように、開始位置の方向指示部５０を連続で二回以上接触した後で円周移動入力を行うと、前記方向指示部５０に対する接触による文字とは異なる文字が入力されることもできる。同時に、図１７（ｃ）のように、各方向指示部５０の外郭に備えられた補助指示部５３に接触して前記各方向指示部５０に移動した後で円周移動入力を行うと、外郭から前記方向指示部５０に接触点が移動する入力とは異なる文字が入力される。
【００８４】
次に、図１８を参照して、前記円周移動入力が行われる形態に対して説明する。
つまり、図１８（ａ）に示されているように、基準入力部３０から３時方向の方向指示部５０ｃへの接触点の移動と、３時方向の方向指示部５０ｃから１２時方向の方向指示部５０ａへの円周移動と、１２時方向の方向指示部５０ａに対する接触とで文字が入力される。
【００８５】
また、図１８（ｂ）に示されているように、図１８（ａ）と同一な方式で入力Ｘおよび入力Ｙを行った後で、最後のＺを接触ではなくプッシュすることにより文字を入力することもできる。
【００８６】
この時、図１８（ａ）および図１８（ｂ）のそれぞれで３つの入力動作によって各入力動作に割り当てられた文字がそれぞれ入力されることもできるが、前記３つの入力動作の組み合わせで新たな文字が入力されることもできる。３つの入力動作の組み合わせで新たな文字が入力される場合には、図１８（ａ）および図１８（ｂ）は最後の入力Ｚが互いに異なるので、互いに異なる文字が入力されるようにすることもできる。例えば、図１８で入力Ｘには
【数５】
2010525480.tif 000007
が割り当てられ、図１８で入力Ｙには
【数６】
2010525480.tif 000008
が割り当てられる場合に、前記入力ＸおよびＹを行った後で、図１８（ａ）のように１２時方向の方向指示部５０ａに接触をすると、
【数７】
2010525480.tif 000009
が入力されて、文字
【数８】
2010525480.tif 000010
が入力されることができる。また、前記入力ＸおよびＹを行った後で、図１８（ｂ）のように１２時方向の方向指示部をプッシュすると、
【数９】
2010525480.tif 000011
が入力されて文字
【数１０】
2010525480.tif 000012
に
【数１１】
2010525480.tif 000013
パッチムが入力されることもできる。
【００８７】
以上のような多様な入力動作は、一つの文字入力装置で全て具現されるように備えられることもでき、一部だけが具現されるように備えられることもできる。
より詳しく説明すると、図１９（ａ）に示されているように、環入力部６０に備えられた各方向指示部５０ａ〜５０ｈで接触、プッシュ、内向接触移動、外向接触移動、内向プッシュ移動、および外向プッシュ移動がそれぞれ行われるようにすることができる。また、図１９（ｂ）に示されているように、環入力部６０に備えられた各方向指示部５０ａ〜５０ｈで接触およびプッシュを行い、前記方向指示部５０ａ〜５０ｈおよび基準入力部３０の間で内向接触移動、外向接触移動、内向プッシュ移動、および外向プッシュ移動がそれぞれ行われるようにすることもできる。
【００８８】
この時、前記各入力動作には互いに異なる文字が割り当てられることもでき、いずれか２つの入力動作には同一な文字が割り当てられることもでき、各入力動作の全てに同一な文字が割り当てられることもできる。
また、前記各方向指示部の個数は多様に備えられるだけでなく、図１９（ａ）および図１９（ｂ）が結合して、より多くの文字が入力されるように備えられることもできる。
一方、図２０〜図２２に示されているように、２つの入力動作が円周入力で連結されて行われるか否かにより異なる文字が入力されるようにすることもできる。
【００８９】
つまり、図２０（ａ）で、３時方向の方向指示部５０ｃへのプッシュ点の移動（図２０（ａ）でＸ）と、１２時方向の方向指示部５０ａからの接触点の移動（図２０（ａ）でＹ）とでそれぞれに割り当てられた文字が入力される。しかし、図２０（ｂ）に示されているように、入力Ｘ後に円周移動してすぐに入力Ｙを行うと、前記入力Ｙについては図２０（ａ）の入力Ｙとは異なる文字が入力される。
【００９０】
例えば、図２０（ａ）で入力Ｘには
【数１２】
2010525480.tif 000014
が割り当てられ、入力Ｙには
【数１３】
2010525480.tif 000015
が割り当てられる場合、前記ＸおよびＹを順次に行うと、文字
【数１４】
2010525480.tif 000016
が入力される。しかし、図２０（ｂ）のように、入力Ｘ後に円周移動してすぐに入力Ｙを行うと、入力Ｙに割り当てられた文字が
【数１５】
2010525480.tif 000017
に変更されて、文字
【数１６】
2010525480.tif 000018
が入力される。
【００９１】
類似した方式で、図２１（ａ）に示されたような基準入力部３０から１時方向の方向指示部５０ｂへの接触点の移動（図２１（ａ）でＸ）と、１２時方向の方向指示部５０ａに対する接触（図２１（ａ）でＹ）とに対しても、図２１（ｂ）に示されているように、入力Ｘおよび入力Ｙの間に円周移動が含まれれば、前記入力Ｙについては他の文字が入力される。
【００９２】
また、図２２（ａ）に示されたような３時方向の方向指示部５０ｃに対する接触点の移動（図２２（ａ）でＸ）と、１２時方向の方向指示部５０ａから基準入力部３０への接触点の移動（図２２（ａ）でＹ）とに対しても、図２２（ｂ）に示されているように、入力Ｘおよび入力Ｙの間に円周移動が含まれれば、前記入力Ｙについては他の文字が入力される。
【００９３】
<第５実施例>
次に、本発明の文字入力装置１での入力動作に対する第５実施例を、図２３を参照して具体的に説明する。
本実施例では、環入力部６０が備えられ、前記環入力部６０上の方向指示部（５０ａ〜５０ｈ）を通過して他の方向指示部に移動する入力によって文字が入力される。この時、図２３（ａ）に示されているように最初の方向入力部を通過する位置と、図２３（ｂ）に示されているように最終の方向入力部を通過する位置とによって互いに異なる文字が入力される。
【００９４】
より詳しく説明すると、図２３（ａ）に示されているように、９時方向の方向指示部５０ｇを始点にして１時方向の方向指示部５０ｂへの接触点の移動（図２３（ａ）でＸ）と、９時方向の方向指示部５０ｇの外郭から前記方向指示部５０ｇを通過して１時方向の方向指示部５０ｂへの接触点の移動（図２３（ａ）でＹ）とに対して互いに異なる文字が入力されるようにすることができる。この時、前記入力Ｘは図１４（ｅ）および図１４（ｂ）の組み合わせ形態と類似し、前記入力Ｙは図１４（ｃ）および図１４（ｂ）の組み合わせ形態と類似している。
【００９５】
また、図２３（ｂ）に示されているように、１２時方向の方向指示部５０ａを始点にして７時方向の方向指示部５０ｆへの接触点の移動（図２３（ｂ）でＸ）と、１２時方向の方向指示部５０ａを始点にして７時方向の方向指示部５０ｆを通過する接触点の移動（図２３（ｂ）でＹ）とに対して互いに異なる文字が入力されるようにすることができる。この時、前記入力Ｘは図１４（ｅ）および図１４（ｂ）の組み合わせ形態と類似し、前記入力Ｙは図１４（ｅ）および図１４（ｄ）の組み合わせ形態と類似している。
【００９６】
一方、図２３（ｃ）は本実施例の変形例であって、環入力部６０の中央に基準入力部３０が備えられている。この時、図２３（ｃ）では、１２時方向の方向指示部５０ａから環入力部６０を外れる接触点の移動Ｘと、１２時方向の方向指示部５０ａから基準入力部３０への接触点の移動Ｙと、１２時方向の方向指示部５０ａから基準入力部３０を通過する接触点の移動Ｚと、１２時方向の方向指示部５０ａから基準入力部３０を通過して６時方向の方向指示部５０ｅに到達する接触点の移動Ｓと、および環入力部６０の外郭から１２時方向の方向指示部５０ａ、基準入力部３０、６時方向の方向指示部５０ｅを通過して再び環入力部６０の外郭に外れる移動Ｔの外郭に対して互いに異なる文字が入力されるようにすることができる。
【００９７】
また、図２３（ｃ）で入力Ｘによって子音１が入力され、入力Ｙによって子音２が入力されるようにすることができる。この場合、入力Ｚによっては、入力Ｙを経た状態になるので、入力Ｙによる子音２と別途の母音２が共に入力されるようにすることができる。また、入力Ｓによっては、入力Ｙを経た状態になるので、入力Ｙによる子音２と別途の母音２が共に入力されるようにすることができる。同時に、入力Ｔによっては、子音入力に関する入力Ｘおよび入力Ｙとは異なって環入力部６０の外部から接触が始まるので、子音３とまた他の母音３とが共に入力されるようにすることができる。
ここで、子音１、子音２、および子音３と、母音１、母音２、および母音３とは、特定の言語の文字で任意に分離される音素のグループであって、特別な方式によって区別されるのではない。
【００９８】
以上のように、本発明では、方向指示部および基準入力部に対する多様な入力動作によって入力可能な文字の個数を顕著に増加させることができる。つまり、ハングル子母音、英語のアルファベット、日本語のひらがなおよびカタカナのうちの一つ以上を一つの文字入力装置に配列することができる。また、入力可能な文字の個数に余分をおいて、前記余分には記号およびファンクションキーなどを配列して、キー転換なく文字入力装置で文字や記号の入力およびファンクションキーによる機能を行うことができるようにする。
また、一つの文字入力装置で入力可能な文字の個数を顕著に増加させることができるので、キーボードの機能だけでなく、マウスの機能も共に行うようにして、中国語の入力や多様なキーを使用するゲームなどに便利に活用することができる。
本発明の権利は前述した実施例に限定されず、請求の範囲に記載された内容によって定義され、本発明の分野における通常の知識を有する者が請求の範囲に記載された権利範囲内で多様な変形および改作が可能であることは自明である。
【符号の説明】
【００９９】
１０  ベース
２０  複数の感知部
２１  タッチパッド
２３  タッチスクリーン
２５  入力領域
３０  基準入力部
５０  方向指示部
【図１】
2010525480.tif 000019
【図２（ａ）】
2010525480.tif 000020
【図２（ｂ）】
2010525480.tif 000021
【図３】
2010525480.tif 000022
【図４（ａ）】
2010525480.tif 000023
【図４（ｂ）】
2010525480.tif 000024
【図４（ｃ）】
2010525480.tif 000025
【図４（ｄ）】
2010525480.tif 000026
【図４（ｅ）】
2010525480.tif 000027
【図４（ｆ）】
2010525480.tif 000028
【図４（ｇ）】
2010525480.tif 000029
【図５（ａ）】
2010525480.tif 000030
【図５（ｂ）】
2010525480.tif 000031
【図５（ｃ）】
2010525480.tif 000032
【図５（ｄ）】
2010525480.tif 000033
【図５（ｅ）】
2010525480.tif 000034
【図６】
2010525480.tif 000035
【図７】
2010525480.tif 000036
【図８】
2010525480.tif 000037
【図９】
2010525480.tif 000038
【図１０】
2010525480.tif 000039
【図１１】
2010525480.tif 000040
【図１２】
2010525480.tif 000041
【図１３】
2010525480.tif 000042
【図１４（ａ）】
2010525480.tif 000043
【図１４（ｂ）】
2010525480.tif 000044
【図１４（ｃ）】
2010525480.tif 000045
【図１４（ｄ）】
2010525480.tif 000046
【図１４（ｅ）】
2010525480.tif 000047
【図１５（ａ）】
2010525480.tif 000048
【図１５（ｂ）】
2010525480.tif 000049
【図１５（ｃ）】
2010525480.tif 000050
【図１５（ｄ）】
2010525480.tif 000051
【図１５（ｅ）】
2010525480.tif 000052
【図１６】
2010525480.tif 000053
【図１７（ａ）】
2010525480.tif 000054
【図１７（ｂ）】
2010525480.tif 000055
【図１７（ｃ）】
2010525480.tif 000056
【図１８】
2010525480.tif 000057
【図１９（ａ）】
2010525480.tif 000058
【図１９（ｂ）】
2010525480.tif 000059
【図２０】
2010525480.tif 000060
【図２１】
2010525480.tif 000061
【図２２】
2010525480.tif 000062
【図２３】
2010525480.tif 000063
【手続補正書】
【提出日】平成21年12月28日(2009.12.28)
【手続補正１】
【補正対象書類名】特許請求の範囲
【補正対象項目名】全文
【補正方法】変更
【補正の内容】
【特許請求の範囲】
【請求項１】
入力領域を含む感知部と、
前記入力領域に含まれ、入力位置確認のための基準になる基準入力部と、
前記基準入力部を中心に放射状に互いに均一な離隔距離を有して配置される複数の方向指示部と、
前記基準入力部または前記方向指示部の一側に備えられて、前記基準入力部または前記方向指示部で行われる接触点の移動方向を表示する方向表示部と、
前記感知部の下部に備えられて、前記各方向指示部へのプッシュを感知するプッシュ感知部と、
前記感知部によって感知される前記方向指示部への接触、前記プッシュ感知部によって感知される前記方向指示部へのプッシュ、前記基準入力部を通過する接触点の移動、前記方向指示部からの接触点の前後左右移動または前記方向指示部からの円周移動による入力動作を確認して、対応する文字データをメモリ部から抽出して入力する制御部と、
を含むことを特徴とする、文字入力装置。
【請求項２】
前記各方向指示部からの接触点の前後左右移動によって子音文字が入力され、前記各方向指示部へのタッチまたはプッシュによって母音文字が入力されることを特徴とする、請求項１に記載の文字入力装置。
【請求項３】
前記複数の方向指示部の間に備えられる複数の補助方向指示部をさらに含むことを特徴とする、請求項１に記載の文字入力装置。
【請求項４】
前記各方向指示部への接触または前記基準入力部を通過する接触点の移動のうちのいずれか一つによって母音文字が入力され、他の一つによって各種機能命令が入力されることを特徴とする、請求項３に記載の文字入力装置。
【請求項５】
前記基準入力部、前記方向指示部、および前記方向表示部は、前記感知部に２セット以上備えられることを特徴とする、請求項１に記載の文字入力装置。
【請求項６】
前記方向指示部に対する接触、前記基準入力部から前記方向指示部への接触点の移動、前記方向指示部の外郭から前記方向指示部への接触点の移動、前記方向指示部から前記方向指示部の外郭への接触点の移動、または前記方向指示部から前記基準入力部への接触点の移動によりそれぞれ互いに異なる文字が入力されることを特徴とする、請求項１に記載の文字入力装置。
【請求項７】
前記方向指示部に対するプッシュ、前記基準入力部から前記方向指示部へのプッシュ点の移動、前記方向指示部の外郭から前記方向指示部へのプッシュ点の移動、前記方向指示部から前記方向指示部の外郭へのプッシュ点の移動、または前記方向指示部から前記基準入力部へのプッシュ点の移動によりそれぞれ互いに異なる文字が入力されることを特徴とする、請求項１に記載の文字入力装置。
【請求項８】
前記一つ以上の入力動作が前記円周移動と結合して、前記入力動作によって入力される文字とは異なる文字を入力することを特徴とする、請求項６に記載の文字入力装置。
【請求項９】
入力領域を含む感知部と、
前記入力領域に環形態に備えられて、円周方向に互いに均一な離隔距離を有して配置される一つ以上の方向指示部を備えた環入力部と、
前記感知部の下部に備えられて、前記環入力部でのプッシュを感知するプッシュ感知部と、
前記感知部によって感知される前記方向指示部に対する接触、前記プッシュ感知部によって感知される前記方向指示部へのプッシュ、および前記環入力部上の方向指示部を通過する接触点またはプッシュ点の移動方向により前記各入力動作に対応する文字データをメモリ部から抽出して入力する制御部と、
を含むことを特徴とする、文字入力装置。
【請求項１０】
前記方向指示部から前記環入力部を外れて他の方向指示部に到達する接触点またはプッシュ点の移動による入力動作と、前記環入力部の外郭から前記方向指示部を通過して前記環入力部を外れて他の方向指示部に到達する接触点またはプッシュ点の移動による入力動作とでそれぞれ互いに異なる文字が入力されることを特徴とする、請求項９に記載の文字入力装置。
【請求項１１】
前記方向指示部から前記環入力部を外れて他の方向指示部に到達する接触点またはプッシュ点の移動による入力動作と、前記方向指示部から前記環入力部を外れて他の方向指示部を通過して前記環入力部を外れる接触点またはプッシュ点の移動による入力動作とでそれぞれ互いに異なる文字が入力されることを特徴とする、請求項９に記載の文字入力装置。
【請求項１２】
前記環入力部の中央に基準入力部がさらに備えられて、
前記方向指示部から前記環入力部を外れる接触点またはプッシュ点の移動、前記方向指示部から前記環入力部を外れて前記基準入力部に到達する接触点またはプッシュ点の移動、前記方向指示部から前記環入力部を外れて前記基準入力部を通過する接触点またはプッシュ点の移動、前記方向指示部から前記環入力部を外れて前記基準入力部を通過して他の方向指示部に到達する接触点またはプッシュ点の移動、または前記環入力部の外郭からいずれか一つの方向指示部、基準入力部、および他の一つの方向指示部を通過して再び前記環入力部の外郭に外れる移動による入力動作によってそれぞれ相異なる文字が入力されることを特徴とする、請求項９に記載の文字入力装置。
【請求項１３】
前記環入力部で円周接触移動入力が可能であり、前記制御部は前記円周接触移動入力時の経路に沿って多数個の入力対象が感知されるとき、最初入力と最終入力のみを有効な入力として処理することを特徴とする、請求項９に記載の文字入力装置。
【請求項１４】
前記プッシュ感知部によって前記環入力部に対する接触入力、内向接触移動入力、外向接触移動入力、円周接触移動入力のうちの２つ以上の入力が連続して感知される場合、前記制御部は各入力に対応する文字がそれぞれ入力されたことと処理することを特徴とする、請求項１３に記載の文字入力装置。
【請求項１５】
前記基準入力部には前記基準入力部への接触を感知する基準入力感知部が備えられることを特徴とする、請求項１に記載の文字入力装置。
【請求項１６】
前記入力動作は、前記方向指示部に位置した前記接触点が前記基準入力部を中心にする所定の半径を有する円に対する接線方向に移動されることによって行われることを特徴とする、請求項１に記載の文字入力装置。
【請求項１７】
前記制御部は、前記円周方向の入力動作が開始および終了される方向指示部、前記入力動作が行われる方向、または前記入力動作が行われる距離によりそれぞれ互いに異なる文字を抽出して入力することを特徴とする、請求項１に記載の文字入力装置。
【請求項１８】
前記入力動作が前記接触点の移動によって行われる場合、前記接触点の移動距離の差により２段以上の多段入力が行われるように備えられることを特徴とする、請求項１に記載の文字入力装置。
【請求項１９】
前記プッシュ感知部は、前記接触点のプッシュの強さにより２段以上の多段入力が行われるように備えられることを特徴とする、請求項１に記載の文字入力装置。
【請求項２０】
前記１つ以上の入力動作が前記円周移動と結合して、前記入力動作によって入力される文字とは異なる文字を入力することを特徴とする、請求項７に記載の文字入力装置。
【国際調査報告】
2010525480.tif 000064
2010525480.tif 000065